(57)【要約】  複数の物体（２）間に延在する複数のビレーライン（３）と複数のアンカーステーション（４）とを有し、ビレーライン（３）をトラバースする人間に連結されたシャトル（１０）を摺動可能に受け止めるようになっている落下阻止アセンブリ。アセンブリ（１）は、取り付け板（６）を備え、この取り付け板（６）を貫通して複数の開口部（７）が画成されている。アセンブリ（１）は、  −取り付け板（６）に堅固に固定された支持体延長部（８）と、  −取り付け板（６）の複数の開口部（７）を貫通して延在するように構成された部分を有する複数のアンカー素子（１１）と、  −アンカー素子（１１）を物体（２）の周囲に締め付ける手段と、をさらに備え、  −支持体延長部（８）はシャトルガイド（９）を担持し、  −シャトルガイド（９）はシャトル（１０）が摺動可能に通過するように構成され、かつ複数のビレーライン（３）に連結されるように構成される。【選択図】    図１
2010528787.tif 000002
【特許請求の範囲】
【請求項１】
複数の物体（２）の間に延在する複数のビレーライン（３）と複数のアンカーステーション（４）とを有し、前記複数のビレーライン（３）をトラバースする人間に連結されたシャトル（１０）を摺動可能に受け止めるようになっている落下阻止アセンブリであって、前記アセンブリ（１）は複数の開口部（７）が貫通して画成された取り付け板（６）を備え、前記アセンブリ（１）は、
−前記取り付け板（６）に堅固に固定された支持体延長部（８）と、
−前記取り付け板（６）の前記複数の開口部（７）を貫通して延在するように構成された部分を有する複数のアンカー素子（１１）と、
−前記アンカー素子（１１）を物体（２）の周囲に締め付ける手段と、
をさらに備え、
−前記支持体延長部（８）はシャトルガイド（９）を担持し、
−前記シャトルガイド（９）は、シャトル（１０）が摺動可能に通過するように構成され、かつ前記ビレーライン（３）に連結されるように構成される、
ことを特徴とする落下阻止アセンブリ。
【請求項２】
前記アンカー素子（１１）は前記取り付け板（６）を貫通して延在するサイズのねじ棒を備え、前記締め付ける手段は、前記支持体延長部（８）を前記物体（２）の周囲に締め付けるために前記複数のアンカー素子（１１）の前記ねじ棒に螺合する一対のねじ付きナット（１２）の形態で用意される、請求項１に記載の落下阻止アセンブリ。
【請求項３】
前記複数の開口部（７）は、少なくとも４つの開口部（７）を含み、前記複数のアンカー素子（１１）は、前記複数の開口部（７）の何れか２つを貫通して延在する２つの棒を含むことを特徴とする、請求項１または２に記載の落下阻止アセンブリ。
【請求項４】
前記複数のアンカー素子（１１）は、物体（２）を取り巻くように構成されたストラップまたはバンドを含み、前記取り付け板（６）は、前記取り付け板（６）を前記物体（２）に取り付けるために、前記アンカー素子を受け入れて貫通させるように構成された複数のスロットの配置を画成することを特徴とする、先行請求項の何れか１項に記載の落下阻止アセンブリ。
【請求項５】
前記アセンブリ（１）は、前記取り付け板（６）が前記物体（２）に取り付けられたときに前記物体（２）に接触するように配置されて前記取り付け板（６）によって支持される複数の調節可能なスペーサ（２７）をさらに備えることを特徴とする、先行請求項の何れか１項に記載の落下阻止アセンブリ。
【請求項６】
前記取り付け板（６）の形状は略矩形であり、前記複数のスペーサ（２７）は前記取り付け板（６）の各コーナーに隣接するスペーサ（２７）を含むことを特徴とする、請求項５に記載の落下阻止アセンブリ。
【請求項７】
前記シャトルガイド（９）は、
−両端が雌ねじ（１４）を画成する管状体（１３）と、
−シャトル（１０）が摺動可能な先細りの表面と、前記雌ねじ（１４）との係合用のねじ込み軸とをそれぞれ有する一対の中空のプロファイル先端部（１５）と、
を備えることを特徴とする、先行請求項の何れか１項に記載の落下阻止アセンブリ。
【請求項８】
前記ビレーライン（３）がわずかな角度で前記プロファイル先端部に入り込めるが、前記プロファイル先端部（１５）の内側の先細り部分によって長手方向に導かれて前記管状体（１３）内の中心位置に位置付けられるように、前記プロファイル先端部（１５）の内側も先細りになっていることを特徴とする、請求項７に記載の落下阻止アセンブリ。
【請求項９】
前記シャトル（１０）は略Ｃ字形の金属製本体（１６）で構成され、前記本体（１６）はケーブル溝（１７）を画成し、前記シャトル（１０）が摺動可能に前記シャトル（１０）に取り付けられると、前記ビレーライン（３）が前記ケーブル溝（１７）を通って延在し、そのために入り口スロット（１８）は前記溝（１７）に連通して前記シャトル（１０）をビレーライン（３）上に配置する手段を提供し、そのためにローラ（１９）が前記ケーブル溝（１７）内に取り付けられることを特徴とする、先行請求項の何れか１項に記載の落下阻止アセンブリ。
【請求項１０】
前記アセンブリ（１）は、前記複数のビレーライン（３）の一部を形成するビレーラインセグメント（３）をさらに備え、前記セグメント（３）は、前記一対の中空プロファイル先端部（１５）の一方を貫通して延在し、その端部が前記シャトルガイド（９）の前記管状体（１３）内に配置されることを特徴とする、請求項７に記載の落下阻止アセンブリ。
【請求項１１】
前記支持体延長部（８）は、前記取り付け板（６）に直角に取り付けられた支持ボックス（２２）で構成され、前記支持ボックス（２２）の各側面は好ましくはほぼ矩形であって前記取り付け板（６）に溶接され、前記支持ボックス（２２）の前面は複数のねじ（２４）によって前記支持ボックス（２２）に固定された、支持体の蓋（２３）であることを特徴とする、先行請求項の何れか１項に記載の落下阻止アセンブリ。
【請求項１２】
前記支持体延長部（８）の前記支持ボックス（２２）は、支持プロファイル（２５）によって前記シャトルガイド（９）に連結され、前記支持プロファイル（２５）は下方部分（２６）が前記ボックス（２２）の下面に溶接されることを特徴とする、請求項１１に記載の落下阻止アセンブリ。
【請求項１３】
前記支持プロファイル（２５）は、前記下方部分（２６）が前記支持ボックス（２２）に溶接された濠（モート）状プロファイル（２５）であることを特徴とする、請求項１２に記載の落下阻止アセンブリ。
【請求項１４】
前記アセンブリ（１）は、
−複数のアンカー素子（３５）が前記取り付け板（３３）を物体（２）の周囲に、または物体（２）に対して、取り付けるために貫通する複数の開口部（３４）を有する取り付け板（３３）と、
−シャトル（１０）を摺動可能に受け止めるように構成された移送用シャトルガイド（４３）であって、前記複数のシャトルガイド（３８）間でシャトル（１０）を通過させるために、回転させて前記複数のシャトルガイド（３８）の何れとも位置合わせさせることが可能な移送用シャトルガイド（４３）と、
−前記移送用シャトルガイド（３３）および前記物体（２）にほぼ直角な方向に向けられてシャトル（１０）を摺動可能に受け止めるように構成された少なくとも２つのシャトルガイド（３８）であって、前記シャトルガイド（３８）のそれぞれの一端は、前記移送用ステーションに終端するそれぞれ別のビレーライン（３）に連結される、少なくとも２つのシャトルガイド（３８）と、
で構成される移送用ステーション（３２）をさらに備えることを特徴とする、先行請求項の何れか１項に記載の落下阻止アセンブリ。
【請求項１５】
前記移送用ステーション（３２）は、回転筒（４０）をさらに備え、前記回転筒（４０）は複数のセグメント（４１）を含み、前記複数のセグメント（４１）はシャトル１０が前記回転筒（４０）を通過するための通過用スロット（４２）を画成し、そのために前記回転筒（４０）は、前記移送用シャトルガイド（４３）を前記回転筒（４０）の内部で支持するフランジ（４４）を備えることを特徴とする、請求項１１に記載の落下阻止アセンブリ。
【請求項１６】
前記移送用ステーション（３２）は、
−前記シャトル（１０）が前記通過用スロット（４２）を通過した後に前記移送用シャトルガイド（４３）からの前記シャトル（１０）の離脱を防止するために、好ましくはばね機構（４６）の形態のロック手段と、次の通過用スロットが次のシャトルガイド（３８）に位置合わせされたときに前記移送用シャトルガイド（４３）のロックを解除するロック解除手段と、
−前記回転筒（４０）を回転させるために前記アセンブリ（１）の前記使用者が握ることができる、前記回転筒（４０）の下端にある一対のハンドル（４７）と、
−シャトルの通過時刻の測定またはシャトルの通過回数のカウントを行うためのコンピュータチップまたは他のセンサと、
−前記取り付け板（３３）を前記物体（２）により良く取り付けるための複数のスペーサ（２７）と、
のうちの１つ以上をさらに備えることを特徴とする、請求項１１または１５に記載の落下阻止アセンブリ。
【請求項１７】
前記アセンブリ（１）は、
−取り付け板（３３）を物体（２）の周囲に、または物体（２）に対して、取り付けるためにアンカー素子（３５）が貫通する開口部（３４）を有する取り付け板（３３）と、
−前記取り付け板（３３）および前記物体（２）に対してほぼ直角な方向に向けられた少なくとも１つのシャトルガイド（３８）であって、シャトル（１０）を摺動可能に受け止めるように構成され、前記シャトルガイド（３８）のそれぞれの一端は前記下降用ステーション（４６）に終端するビレーライン（３）に連結される、シャトルガイド（３８）と、
−シャトル（１０）の鉛直方向の移送を可能にする下降用シャトルガイド（４９）であって、シャトル（１０）を摺動可能に受け止めるように構成された下降用シャトルガイド（４９）と、
で構成される下降用ステーション（４６）をさらに備えることを特徴とする、先行請求項の何れか１項に記載の落下阻止アセンブリ。
【請求項１８】
前記下降用ステーション（４８）は、
−前記シャトル（１０）が前記通過用スロット（４２）を通過した後に前記下降用シャトルガイド（４９）からの前記シャトル（１０）の離脱を防止するための、好ましくはばね機構（４６）の形態の、ロック手段と、前記通過用スロット（４９）が前記次のシャトルガイド（３８）に位置合わせされたとき、または前記落下阻止アセンブリの前記使用者が前記地面に到達したときに、前記移送用シャトルガイド（４９）のロックを解除するロック解除手段と、
−シャトルの通過時刻の測定またはシャトルの通過回数のカウントを行うためのコンピュータチップまたは他のセンサと、
−前記取り付け板（３３）を前記物体（２）により良く取り付けるためのスペーサ（２７）と、
のうちの１つ以上をさらに備えることを特徴とする、請求項１７に記載の落下阻止アセンブリ。
【請求項１９】
前記アセンブリ（１）は、好ましくは前記ビレーライン（３）にボルト（５２）で固定され、前記ビレーライン（３）から離れる方向にばね付勢された複数のクリップ（５３）を備えた本体（５１）の形態の、阻止手段（５０）をさらに備えることを特徴とする、先行請求項の何れか１項に記載の落下阻止アセンブリ。
【発明の詳細な説明】
【技術分野】
【０００１】
本発明は、落下阻止アセンブリに関する。
【背景技術】
【０００２】
一般的な落下阻止アセンブリまたは個人用ビレーシステムにおいては、使用者はシャトルまたはグライダーに取り外し可能にクリップ留めしうるハーネスを装着する。シャトルは、吊り下げられたロープまたはケーブルの形態の一揃いのビレーラインに沿って容易に摺動するように構成されている。一般的な形態の個人用落下阻止アセンブリは、高層ビルの建設、窓の洗浄、および屋根の修理など、作業者が危険な高所で作業を行う建設業界およびビルメンテナンス業界で使用されている。これらの一般的なシステムにおいては、ケーブル布設区間は比較的短く、各作業者専用のケーブル布設区間を含むことが多い。さらに、ケーブル布設区間は通常固定され、安定し、幾何学的形状が単純で予測可能である。例えば、ビル建設においては、布設区間はビルの既存の水平梁をたどり、ビルの鉛直梁に繋止される。
【０００３】
落下阻止アセンブリは、レクリエーションおよびアドベンチャー市場での使用も増えている。落下阻止アセンブリは、登山、岩登り、および懸垂下降に必須の道具である。最近では、落下阻止システムは、危険に満ちた不安定なコースを参加者がうまく切り抜けなければならない障害物コースおよびアドベンチャーコースで使用されている。このようなコースは、ほとんど水平なロープ、吊り下げられた丸太、岩などで形成された高所の「小道」を含むこともある。これらのアドベンチャーコースにおいては、落下阻止アセンブリは、参加者の運動の自由を妨げずに、不測の落下に対する安全を提供する必要がある。
【０００４】
上記の商用および工業用の用途と異なり、アドベンチャーコースにおける落下阻止アセンブリは、一般に、長いビレーライン布設区間を必要とし、極めて活発な参加者向けである。一部のアドベンチャーコースにおいては、参加者は競争に参加し、できる限り速く移動する。したがって、ビレーシステムは、冒険家の高速トラバースを妨げてはならず、さらにアドベンチャーコースがどこに進もうとも据え付けることができる十分な融通性を有する必要がある。一部のアドベンチャーコースにおいては、複数の参加者が同じ布設区間を同時にトラバースすることもあるので、ビレーシステムは、複数の安全ケーブル／ロープおよび複数のシャトル／グライダーを収容可能でなければならない。
【０００５】
参加者がより多くの刺激を求めるに伴い、アドベンチャーコースの複雑さおよび危険性が増す。この結果、最大限可能な融通性と使い易さとを提供しながら、アドベンチャーコースに応じて拡張可能なモジュール式の落下阻止アセンブリが必要とされている。
【０００６】
このような落下阻止アセンブリまたは個人用ビレーシステムは、欧州特許第ＥＰ１７３３７６３号明細書によって開示されている。この明細書には、多様なビレーライン布設区間を形成するために多様な物体に対して使用可能な複数の構成要素を有するモジュール式システムが記載されている。したがって、このモジュール式システムは、樹木または柱などの支持体に取り付けられる取り付け板で構成され、この取り付け板にはアンカー素子を受け入れるための貫通穴がいくつか設けられている。この取り付け板には、物体を取り巻くバンドまたはストラップを受け入れるように構成された複数のスロットも配置されている。
【０００７】
この取り付け板は、調節可能なスペーサを受け入れるスロットもいくつか含む。これらのスペーサは、取り付け板をアンカー素子によって支持体に取り付けたときに、この支持体に接触するように構成されている。これらのスペーサは、取り付け板をぐらつかない正確な向きに確実に維持するために、物体の表面の変化に対応して調節可能である。
【０００８】
各取り付け板は１つ以上の支持板を支持し、各支持板はシャトルガイドを１つ収容する。シャトルガイドは、使用者の個人用落下阻止システムの一部であるシャトルが摺動可能に通過できるようになっている。シャトルガイドは、さらにビレーライン布設区間の一部を形成すると共に、組み合わせると布設区間全体を形成する複数のビレーラインセグメントを係合させるように特に構成されている。シャトルガイドは、雌ねじが両端に設けられた管状体を含む。各端に対してプロファイル先端部が設けられる。各端においてプロファイル先端部は、管状体の雌ねじ付き端部との係合用のねじ込み軸を含む。プロファイル先端部は中空であるため、ビレーラインのセグメントの一部が先端部を通って延在でき、セグメントの端部が管状体の内部に配置されうる。
【０００９】
フェルール等の素子をセグメントの端部に取り付けることによって、ビレーラインのセグメントをプロファイル先端部の端部に閉じ込める。プロファイル先端部を管状体にねじ込むと、セグメントは管状体に固締され、最終的にアンカーシステムの支持体延長部に固締される。次に、ビレーライン布設区間の各セグメントをシャトルガイドの各端部に連結することによってビレーライン布設区間全体を形成する。
【００１０】
このような落下阻止アセンブリの主な欠点として、上記明細書に記載された支持体は、折り曲げ工程を含む方法によって製造されるため、金属疲労を起こしやすいことが挙げられる。
【発明の概要】
【課題を解決するための手段】
【００１１】
そのため、本発明は、物体間に延在する複数のビレーラインと複数のアンカーステーションとを有し、ビレーラインをトラバースする人間に連結されたシャトルを摺動可能に受け止めるようになっている落下阻止アセンブリに関する。この落下阻止アセンブリは、複数の貫通口が画成された取り付け板を備える。この落下阻止アセンブリは、
−上記取り付け板に強固に固定された支持体延長部と、
−上記取り付け板の上記複数の開口部を貫通して延在するように構成された部分を有する複数のアンカー素子と、
−上記複数のアンカー素子を物体の周囲に締め付ける手段と、
をさらに備え、
−上記支持体延長部はシャトルガイドを担持し、
−上記シャトルガイドは、シャトルが摺動可能に通過するように構成され、かつ上記複数のビレーラインに連結されるように構成されることを特徴とする。
【００１２】
本発明による落下阻止アセンブリの利点は、支持体延長部が取り付け板に堅固に固定されるため、落下阻止システムを柱または樹木、または他の物体の周囲に締め付けるためのより強力な手段が提供されることである。
【００１３】
さらに、切断形状をそのまま使用できる製造工程によって支持体延長部を製造するため、より安価に製造できるほか、支持体延長部のこれらのプロファイルが金属疲労を起こしにくい。
【００１４】
好適な一実施態様においては、ビレー区間が２つの物体間を渡るときに同じ支持体延長部を使用できるように、２つのシャトルガイドが支持体延長部に担持される。したがって、支持体延長部の下方部分は、「外側の」シャトルガイドが支持体延長部の外側に担持され、「内側の」シャトルガイドが支持体延長部とこの支持体延長部が取り付けられた物体との間に配置されるように、ビレー区間の線上で対称的なプロファイルであることが好ましい。公知の従来技術においては、２つの異なる支持プロファイルを使用する必要があった。すなわち、第１のプロファイルを第１の物体の外側に使用し、第２のプロファイルを第２の物体の内側に使用する必要があった。本発明により提案される対称的なプロファイルは、物体の内側と外側の両方に使用できるため、より高い融通性をもたらし、落下阻止アセンブリに必要な部品点数が減る。
【００１５】
本発明の特徴をより良く示すために、以下に、非限定的な一例として、本発明による改良された落下阻止システムの好適な一実施形態について添付図面を参照しながら説明する。
【図面の簡単な説明】
【００１６】
【図１】落下阻止アセンブリを斜視図で示す。
【図２】図１の線ＩＩ−ＩＩに沿った側面図を示す。
【図３】図２のＦ３からの正面図を示す。
【図４】図２のＦ４からの上面図を示す。
【図５】図１のＦ５からのケーブルセグメント取り付け機構の上面図を示す。
【図６】図５によるケーブルセグメント取り付け機構と、ビレーラインの周囲のねじ込み軸とを示す。
【図７】図１のＦ７の拡大図としてシャトルを斜視図で示す。
【図８】図７の裏面図を示す。
【図９】図８のＦ９からの正面図を示す。
【図１０】図８のＦ１０からの側面図を示す。
【図１１】支持体延長部の内側版変形例を示す。
【図１２】支持体延長部の両側版変形例を示す。
【図１３】支持体延長部の別の両側版変形例を示す。
【図１４】物体の外周を締め付けるためにスペーサが設けられた落下阻止アセンブリの上面図を示す。
【図１５】物体の周囲に外側コーナー部を形成する落下阻止アセンブリの上面図を示す。
【図１６】物体の周囲に内側コーナー部を形成する落下阻止アセンブリの上面図を示す。
【図１７】取り付け板および支持体延長部の変形例を示す。
【図１８】シャトル移送用ステーションの上面図を示す。
【図１９】図１８の線ＸＶＩ−ＸＶＩに沿った側面図を示す。
【図２０】図１９のＦ２０の拡大図を示す。
【図２１】図２０のＦ２１からの正面図を示す。
【図２２】図１９の一変形例を示す。
【図２３】図１９の別の変形例を示す。
【図２４】シャトル移送用ステーションの一変形例の側面図を模式的に示す。
【図２５】図２４の線ＸＸＶ−ＸＸＶに沿った上面図を示す。
【図２６】シャトル下降用ステーションの側面図を示す
【図２７】シャトルを下降させているシャトル下降用ステーションの側面図を示す。
【図２８】阻止手段の上面図を示す。
【図２９】図２８の線ＸＸＩＸ−ＸＸＩＸに沿った側面図を示す。
【図３０】図２９のＦ３０の拡大図を示す。
【図３１】図１４の変形例を示す。
【図３２】図１４の変形例を示す。
【図３３】図１５の変形例を示す。
【図３４】図１５の変形例を示す。
【図３５】図３４の正面図を示す。
【図３６】図１の取り付け板６の変形例を示す。
【図３７】図１の取り付け板６の変形例を示す。
【発明を実施するための形態】
【００１７】
図１は、落下阻止アセンブリ１を複数の物体２のうちの１つの周囲に取り付ける方法を模式的に示す。落下阻止アセンブリ１は、複数のアンカーステーション４の間に延在するビレーライン３を有し、アンカーステーション４はビレーライン３をトラバースする人間に連結されたシャトル５を摺動可能に受け止めるようになっている。
【００１８】
図２は、アンカーステーション４が取り付け板６を備え、取り付け板６には複数の開口部７が貫通して画成されていることを示す。
【００１９】
アセンブリ１のアンカーステーション４は、取り付け板６に堅固に固定されてシャトルガイド９を担持する支持体延長部８をさらに備える。シャトルガイド９は、シャトル１０が摺動可能に通過するように構成されると共に、ビレーライン３に連結されるようにさらに構成される。
【００２０】
図２および図３に示すように、落下阻止アセンブリ１の各アンカーステーション４は、取り付け板６の複数の開口部７を貫通して延在するように構成された部分を有する複数のアンカー素子１１をさらに備える。
【００２１】
図２は、アンカー素子１１が物体２を貫通して突出し、一連のナット１２によって物体２の両側で物体１に締め付けられることをさらに示す。
【００２２】
好適な一実施形態においてアンカー素子１１は、締め付け力の調節を可能にするねじ棒の形態で用意され、安全な固着を可能にするために十分な数の開口部７が各取り付け板６に設けられる。
【００２３】
図４、図５、および図６に示すように、シャトルガイド９は、複数のストッパー１３と、雌ねじ付き端部１４と、プロファイル先端部１５とを備える。雌ねじ付き端部１４は、別のモジュール式形状構成を落下阻止アセンブリ１にもたらす。特に、雌ねじ付き端部１４は、ビレーラインセグメント３を案内管１５の対応する端部１４に固締するために用いられる先細りのプロファイル先端部１５を受け入れるように構成される。言い換えると、落下阻止アセンブリ１の布設区間全長にわたって１本の切れ目のないビレーライン３を担持するのではなく、この布設区間を個別のビレーラインセグメント３に分割し、これらのセグメント３をシャトルガイド９を介して互いに連結することができる。次に、これらのビレーラインセグメント３を、図５および図６に示すように、ストッパー１３を用いてプロファイルトリップ１５の裏側に固定することができる。
【００２４】
参加者が落下阻止アセンブリ１の各アンカーステーション４をトラバースするときにシャトル１０がビレーライン３からシャトルガイド９上に滑らかに移動するように、プロファイル先端部１５の外側は先細りになっている。
【００２５】
ビレー区間がわずかな角度でプロファイル先端部に進入可能でありながら、先細り部分によって長手方向に導かれてストッパー１３の内部の中心位置に達するように、プロファイル先端部１５の内側も先細りになっていることが好ましい。言い換えると、プロファイル先端部の開口部は、雌ねじ付き部分から自由端へと大きくなる。
【００２６】
アンカーステーション４は、広範囲のシャトルデザインに対応するように構成される。シャトルデザインの一例が図７から図１０に示されている。
【００２７】
シャトル１０は、ケーブル溝を画成する略Ｃ字形の金属製本体１６の形態であり、シャトル１０をビレーライン３に摺動可能に取り付けると、ビレーライン３がこのケーブル溝を通って延在する。入り口スロット１８は、溝１７に連通し、シャトル１０をビレーライン３上に配置する手段を提供する。ローラ１９をケーブル溝１７内に取り付けると、シャトルがビレーライン３に沿って移動し易くなるので都合が良い。
【００２８】
ビレーライン３からのシャトル１０の予期せぬ離脱を防ぐために、入り口スロット１８は、ゲート２０によってほぼ閉じられている。ゲート２０は、入り口スロット１８をほぼ閉じる位置まで、シャトル本体１６に対してばね付勢されることが好ましい。  
【００２９】
ゲート２０は、シャトル１０が各シャトルガイド１６の案内管１３をトラバースできるように十分広く入り口スロット１８を開けておく。ゲート２０の一部は本体１６に形成されたカラビナスロット２１の中まで延在するので、カラビナクリップがスロット２１の中に位置付けられているときは、ゲート２０をその閉鎖位置から動かすことはできない。カラビナスロット２１が空のときは、ばね付勢に抗してゲート２０を動かすことができるので、シャトル１０をケーブルまたはロープ３上に配置することができる。
【００３０】
突発的な落下の直後の使用者の全体重をシャトル１０およびビレーライン３で支持するときでもシャトル１０が使用者の重量下で変形または破砕しないように、シャトル１０を鋼鉄などの高強度材料で形成することが好ましい。ケーブル溝１７は、落下阻止アセンブリ１のシャトルガイド９上を容易に通過できるサイズにする。さらに、シャトル１０への接触損傷を防止するために、ビレーラインコースに沿ったシャトル本体１６の各側面にバンパー（いずれの図にも不図示）を取り付けることもできる。
【００３１】
図１において、支持体延長部８は、取り付け板に直角に取り付けられた支持ボックス２２から基本的に構成される。支持ボックス２２の各側面は、好ましくはほぼ矩形であって、取り付け板６に溶接される。支持ボックス２２の前面は、ねじ２４によって取り外し可能な、支持体の蓋２３である。これにより、ボックス２２はアンカー素子１１を覆う室を効果的に形成し、環境または他の野外で発生しうる影響からアンカー素子１１を保護するという利点をもたらす。
【００３２】
シャトルガイド９は、支持プロファイル２５によって支持体延長部８の支持ボックス２２に連結される。支持プロファイル２５は、その下方部分２６がボックス２２の下面に溶接されることが好ましい。このプロファイル２５は、シャトルガイド９の管状部分を部分的に貫通して延在してもよいが、しなくてもよい。下方部分２６は、さらなる強度と耐金属疲労性とをもたらす。
【００３３】
図１においては、シャトルガイド９が支持体延長部８の前方下部に位置付けられるように、プロファイル２５は物体２から離れる方向に向いている。プロファイル２５をさまざまな向きに変えられることはアセンブリ１の特徴の１つである。図１１は、シャトルガイド９が支持体延長部８の下に位置付けられるように、プロファイル２５が物体２の方に向いている構成を示す。以下においては、この構成を、図１に示されている「外側」構成に対して、「内側」構成と称する。
【００３４】
図１２に示されている好適な一実施形態においては、２本のビレーライン３がアンカーステーション４を通過する。一方は支持体延長部８の「内側」を通過し、もう一方は「外側」を通過する。図１２においては、この構成は、下方部分２６を介して支持ボックス２２に溶接された濠（モート）状プロファイル２５によって表されている。これにより、小型で頑丈な構造が基本的に提供されるばかりでなく、１本ではなく２本のビレーライン３によって突発的な落下を阻止できるという利点がある。別の可能性は、一人あたり１本のビレーライン３を提供することである。つまり、２人の参加者を１つの同一要素にしうることを意味する。
【００３５】
上記の何れの場合においても、これらのビレーライン３は取り付け板６の面にほぼ平行に布設されるが、他の変形例も可能である。図１３は、ビレーライン２３が取り付け板６の面にほぼ直交して布設される変形例を示す。以下に説明するように、これらの支持体延長部８は、移送用ステーションおよび下降用ステーションの支持ガイドを担持するために使用することができる。
【００３６】
図１から図４、および図１１から図１３に示すように、取り付け板６は、中心線に沿って鉛直に画成された複数の固着用開口部７を有する。ただし、図１４に示すように、取り付け板６が樹木または柱などの略円柱状の鉛直な物体２にも正確に取り付けられる融通性を呈するように、取り付け板６の中心部の各側に、中心部に対して角度を付けて配置された、開口部７を有する複数の翼部をさらに含む取り付け板６の可能性を排除するものではない。
【００３７】
ただし、特に樹木の場合は、物体は不規則な円柱状であるため、取り付け板６は物体２の形状に正確には対応し難い。このような場合は、図１４に示すように、複数のスペーサ２７をアンカーステーションにさらに設ける。スペーサ２７の左右方向の位置を調整できるように、スペーサ２７は取り付け板に調節可能に取り付けられることが好ましい。さらに、スペーサ２７は、物体２の表面の不規則性に適合するように出し入れ調節を行えるように構成されることが好ましい。
【００３８】
スペーサ２７は、テーブルまたは椅子の高さ調節機構に似た調節可能な取り付けボルト構成を含むことが好ましい。したがって、スペーサ２７は、図１４に示すように、頭部２８とそこから突出したねじ込み軸２９とを含むこともできる。取り付け板６の開口部７を貫通延在させた軸部２９に、取り付け板６の両側でナット３０をねじ込む。これにより、アンカー素子１１は物体２を貫通できる。ただし、図１４においては、アンカー素子１１は、実際には、物体２の周囲に取り付けられて締め付けられる数本のベルトである。この構成は、貫通が困難か、または貫通は全く適さない物体に適している。
【００３９】
この場合は、アンカー素子１１を用いて取り付け板６を鉛直の支持体に最初に取り付けるときに、ナット３０が初期状態で緩んでいる状態で、各スペーサ２７の頭部２８の出し入れおよび左右方向の調節を行うこともできる。スペーサ２７が適正に位置付けられると、アンカー素子１１が緊張するため、物体２へのアンカーステーション４の取り付けが強化される。次に、ナット３０を十分に締めてスペーサ２７を取り付け板６にしっかりと締め付ける。
【００４０】
重視すべき点は、アンカーステーション４用の複数のアンカー位置に対応するために、取り付け板６は十分な数の開口部７を有することである。４つの開口部７を鉛直に連ねて設けることが好ましいが、２つのアンカー素子１１のみを用いてアンカーステーション４を物体２に堅固に固着することも可能である。したがって、４つの穴のうちの２つのみが対応するアンカー素子１１を受け入れてもよい。所与の物体２に固定するために１つのアンカー素子１１のみを用いる場合は、これらの開口部７の何れにでもアンカー素子１１を貫通延在させうる。ただし、他の構成においては、例えばビレーラインがコーナーの周囲または内側を通り、アンカー素子１１を物体２に貫通させる場合は、少なくとも２つのアンカー素子１１を物体２に取り付ける必要がある。
【００４１】
コーナーの周囲を通る別の可能性が図１５に示されている。この図において、アンカー素子は、複数のアンカーステーション４を固定するために使用できる１本のベルトである。ここでは、単一のアンカー素子１１の使用が可能であるが、大半の場合は、安全性のために複数のアンカー素子１１が用いられるであろう。
【００４２】
図１６は、落下阻止アセンブリ１がコーナーの内側を通る構成を示す。ここでは、アンカー素子１１を物体２に貫通させているので、複数のアンカー素子１１が使用されている。ここでは、支持体延長部８が基本的にコーナーピースであることがさらに不可欠である。この構成においては、通常、ビレーラインが物体２のコーナーの内側を通ることができるように、支持ボックス２２は追加の延長部３１に溶接または固定されることになるといえよう。
【００４３】
いくつかの好適な実施形態を上で説明したが、取り付け板６および支持体延長部８の形状および連係を変更しうる可能性を排除するものではない。例えば、図１７においては、形状が異なる２つの取り付け板６が用いられている。確かに、これらは、プロファイルと言えるであろう。したがって、支持体延長部８は、ボルト３１で取り付け板６に直接留められるブラケット２６とプロファイル２５とに限定される。これは、必要な支持が少なくて済み、簡単な一時しのぎの解決策で間に合うアンカーステーション４には有用でありうる。
【００４４】
本発明のさらに別の実施形態においては、連結されていない複数のビレーライン３間でビレーラインシャトル１０を移送する能力が提案される。
【００４５】
図１８から図２１は、物体２に取り付けられた移送用ステーション３２を示す。移送用ステーション３２は、ビレーライン布設区間の間でシャトル１０の移送を行っている間、参加者がその上に立っているためのプラットフォーム（どの図にも不図示）を伴うことが好ましい。図２０により詳細に示されているように、移送用ステーション３２は、図２に示されている実施形態の取り付け板６と同様の取り付け板３３を含む。取り付け板３３は、複数の取り付け用開口部３４を含む。これらの開口部３４は、図２に示されているアンカー素子１１のようなアンカー素子３５を受け入れ、取り付け板３３を物体２にストラップで取り付けるように構成されている。ただし、取り付け板６と異なり、取り付け板３３は、図１８のように上から見たときに物体２の周囲に正多角形を構成する複数の隣接面３６で形成される。各面３６に支持用フランジ３７が取り付けられる。この結果、各面３６は、相互に角度をなして配設された複数のシャトルガイド３８を含む。特に、各シャトルガイド３８は、その対向面３６に対して基本的に直角である。
【００４６】
各シャトルガイド３８の外方端は、上記のシャトルガイド９と同じ方法でビレーライン３をシャトルガイド３９に固定するプロファイル先端部３９を含む。
【００４７】
このように、各シャトルガイド３８はそれぞれ異なるビレーライン布設区間に界接され、それぞれのビレーライン３は互いに接続されていない。
【００４８】
安全シャトル１０をこれらのケーブル布設区間の間で移送するために、移送用ステーション３２は回転筒４０をさらに備える。
【００４９】
回転筒４０は、シャトル１０が回転筒４０を通過するための通過用スロット４２を画成するセグメント４１を複数含む。本発明の一側面においては、回転筒４０は移送用シャトルガイド４３を回転筒４０自体に備え、この移送用シャトルガイド４３は、フランジ４４によって回転筒４０の内側に支持される。移送用シャトルガイド４３は、その両端が、図２１に示すように、通過用スロット４２の開口部に対向するような向きになっている。
【００５０】
回転筒４０が１つの位置まで回転すると、スロット４２が、ビレーライン布設区間のうちの１つに対応付けられた、選択された１つのシャトルガイド３８に対向することは容易に理解できる。この結果、移送用シャトルガイド４３はビレーライン上のシャトルガイド３８にも位置合わせされるので、そのビレーライン３上を移動するシャトル１０が移送用シャトルガイド４３に容易に移送される。シャトル１０が移送用シャトルガイド４３上に位置付けられたら、開口部４２の１つと移送用シャトルガイド４３とが外側の別のシャトルガイド３８に対向するまで、筒４０を回転させることができる。これで、このシャトル１０を別のケーブル布設区間のライン３上に移送することができる。
【００５１】
取り付け板６および支持体延長部８について上に挙げた変形例と同様に、さらなる支持を提供するために、または特定の環境に対する解決策を提供するために、同様の変形例をさらに考えることができる。図２２においては、追加の取り付けフレーム４５が採用されている。図２３においては、取り付け板３３が、物体２の側面ではなく、物体２の下に取り付けられている。場合によっては、移送用ステーション３２の構成にスペーサ２４をさらに含むこともできる。
【００５２】
図２０、図２３、および図２４は、回転筒４０をそれぞれのシャトルガイド３８と一直線上に位置付け、シャトル１０が回転筒４０に入ったら次のシャトルガイド３８が到着するまで通過用スロット４２からのシャトル１０の離脱を防止するピンとばねとによる任意使用の機構４６をさらに示す。
【００５３】
これらの図に示されていない任意使用の特徴は、例えば、移送用ステーション３２を通過した参加者の数または通過時刻を追跡するためのカウンタまたはタイマを備えたコンピュータチップあるいは電気式ロック機構である。
【００５４】
図２４および図２５は、使用者が筒４０を回転させるために握ることができる一対のハンドル４７を回転筒４０の下端にさらに含みうることを示す。
【００５５】
回転筒４０を管または板にすることもできる。つまり、サイズおよび形態を違えることもできる。
【００５６】
本発明の別の側面においては、落下阻止アセンブリ１は、図２６に示すように、下降用ステーション４８をさらに備えることができる。
【００５７】
この原理は、移送用ステーション３２と同じである。すなわち、シャトル１０を別の位置に移送するために、シャトルガイド３８によってビレーライン３からシャトル１０を外すことができる。
【００５８】
ただし、下降用ステーション４８の場合は、移送は、水平方向ではなく、別のシャトルガイド３８およびビレーライン３に向けて、または大半の場合は、参加者を落下阻止アセンブリ１から安全に外すことができる地面に向けて、鉛直方向に行われる。つまり、移送用シャトルガイド４３が物体２の周囲に水平方向に取り付けられるのに対し、下降用シャトルガイド４９は物体２に鉛直方向に取り付けられる。
【００５９】
両ステーションの原理は同じであるので、図２６および図２７についてはさらに詳細には説明しない。センサ、ロック機構、またはスペーサなどの同じ任意使用の素子を含むことができる。
【００６０】
落下阻止アセンブリ１への別の任意使用の追加が図２８から図３０に示されている。これらの図においては、ビレーライン３自体に阻止手段４９が設けられている。
【００６１】
これらの阻止手段５０は、ビレーライン３が水平に布設されず、鉛直角度で布設される場合に役に立ちうる。
【００６２】
阻止手段は、例えば、阻止手段５０をビレーライン３に固定するためにビレーライン３にねじ留めできるボルト５２付き本体５１の形態で設けることができる。
【００６３】
この阻止手段は、ビレーライン３から離れる方向にばね付勢される複数のクリップ５３をさらに備える。これらのクリップ５３は、シャトル１０を一方向には容易に通過させるが、もう一方の方向への通過を防止する。
【００６４】
本発明は、落下阻止アセンブリのさまざまな構成要素について上で説明した厳密な形態に限定されるものではなく、これらの構成要素をさまざまな形状およびサイズにできることは明らかである。
【００６５】
例えば、図３１は、図１４に用いられているスペーサ２７の一代替案を示す。この代替案では、取り付け板６を物体２の周囲に取り付けるために、プラスチック製の取り付け部５４が用いられる。この代替案は、スペーサ２７が不向きまたは望ましくないと判明した場合に使用できる。図３２は、図３１のＦ３２からの正面図を示す。
【００６６】
図３３に示すように、物体２の周囲でコーナーを曲がるために、図１４に使用されているスペーサ２７の代わりに、同様のプラスチック製のコーナー取り付け部５５を用いて２つの取り付け板６を取り付けることができる。このプラスチック製のコーナー取り付け部５６は、図３４に示すように、さまざまな形状にすることができる。この図においては、上記物体２の周囲でコーナーの角度を変えている。図３５は、図３４の正面図を示す。この図においては、明確にする目的で、ビレーライン３が省かれている。
【００６７】
図３６は、取り付け板６の変形例を示す。この変形例は、支持体延長部８を取り付け板６に取り付けるための溝５６、スロット５７、および追加のねじ５８および５９を備えている。溝５７は、部分円弧の形態である。支持体延長部８の下方部分を取り付け板６に取り付けるために、複数のねじ５８が用いられている。次に、スロット５７がヒンジ点として機能できるので、取り付け板６に対する支持体延長部８の上部の位置の鉛直方向調節を溝５６によって行うことができる。次に、複数のねじ５９をねじ込むことによって、支持体延長部８を所望の位置に合わせることができる。
【００６８】
本発明は、一例として説明し、各図に表した実施形態の形態に限定されるものでは決してなく、本発明による落下阻止アセンブリ１は、本発明の範囲を逸脱することなく、さまざまな形態で実現可能である。
【図１】
2010528787.tif 000003
【図２】
2010528787.tif 000004
【図３】
2010528787.tif 000005
【図４】
2010528787.tif 000006
【図５】
2010528787.tif 000007
【図６】
2010528787.tif 000008
【図７】
2010528787.tif 000009
【図８】
2010528787.tif 000010
【図９】
2010528787.tif 000011
【図１０】
2010528787.tif 000012
【図１１】
2010528787.tif 000013
【図１２】
2010528787.tif 000014
【図１３】
2010528787.tif 000015
【図１４】
2010528787.tif 000016
【図１５】
2010528787.tif 000017
【図１６】
2010528787.tif 000018
【図１７】
2010528787.tif 000019
【図１８】
2010528787.tif 000020
【図１９】
2010528787.tif 000021
【図２０】
2010528787.tif 000022
【図２１】
2010528787.tif 000023
【図２２】
2010528787.tif 000024
【図２３】
2010528787.tif 000025
【図２４】
2010528787.tif 000026
【図２５】
2010528787.tif 000027
【図２６】
2010528787.tif 000028
【図２７】
2010528787.tif 000029
【図２８】
2010528787.tif 000030
【図２９】
2010528787.tif 000031
【図３０】
2010528787.tif 000032
【図３１】
2010528787.tif 000033
【図３２】
2010528787.tif 000034
【図３３】
2010528787.tif 000035
【図３４】
2010528787.tif 000036
【図３５】
2010528787.tif 000037
【図３６】
2010528787.tif 000038
【図３７】
2010528787.tif 000039
【国際調査報告】
2010528787.tif 000040
2010528787.tif 000041
2010528787.tif 000042